(57)【要約】【課題】蓋の揺動を抑えつつ、受枠に対する蓋の過剰な食い込みを防止することができる地下構造物用蓋装置を提供すること。【解決手段】開口部２を有する受枠１と、前記開口部２を塞ぐための蓋４とを具備した地下構造物用蓋装置であって、前記開口部２の内周及び前記蓋４の外周には上部勾配面２Ａ、４Ａ及び下部勾配面２Ｂ、４Ｂが各々設けられ、閉蓋状態において前記開口部２及び前記蓋４の上部勾配面２Ａ、４Ａどうし及び下部勾配面２Ｂ、４Ｂどうしが少なくとも部分的に面接触するように構成され、前記開口部２と前記蓋４の両方、またはそのいずれか一方において、下部勾配面２Ｂ、４Ｂよりも上部勾配面２Ａ、４Ａが平滑となるようにすることにより、前記開口部２及び前記蓋４の上部勾配面２Ａ、４Ａ間の静止摩擦係数が、下部勾配面２Ｂ、４Ｂ間の静止摩擦係数よりも小となるようにした。【選択図】図２
0003179066.tif 000002
【実用新案登録請求の範囲】
【請求項１】
開口部を有する受枠と、前記開口部を塞ぐための蓋とを具備した地下構造物用蓋装置であって、
前記開口部の内周及び前記蓋の外周には上部勾配面及び下部勾配面が各々設けられ、閉蓋状態において前記開口部及び前記蓋の上部勾配面どうし及び下部勾配面どうしが少なくとも部分的に面接触するように構成され、
前記開口部と前記蓋の両方、またはそのいずれか一方において、下部勾配面よりも上部勾配面が平滑となるようにすることにより、前記開口部及び前記蓋の上部勾配面間の静止摩擦係数が、下部勾配面間の静止摩擦係数よりも小となるようにしたことを特徴とする地下構造物用蓋装置。
【請求項２】
前記開口部と前記蓋の両方、またはそのいずれか一方において、上部勾配面が十点平均粗さで６．３μｍ以下となるようにし、かつ、下部勾配面が十点平均粗さで２５μｍ以上となるようにした請求項１に記載の地下構造物用蓋装置。
【請求項３】
前記蓋の上部勾配面の勾配よりも前記開口部の上部勾配面の勾配を急にし、かつ、前記開口部の下部勾配面の勾配よりも前記蓋の下部勾配面の勾配を急にすることにより、前記開口部及び前記蓋の上部勾配面と下部勾配面との境界部分にクリアランスを設けるようにした請求項１または２に記載の地下構造物用蓋装置。
【考案の詳細な説明】
【技術分野】
【０００１】
この考案は、例えば、開口部を有する受枠と、前記開口部を塞ぐための蓋とを具備し、マンホール蓋等として利用可能な地下構造物用蓋装置に関する。
【背景技術】
【０００２】
従来の地下構造物用蓋装置として、受枠の開口部の内周面と、受枠の開口部に嵌合する蓋の外周面とを、共に下向きに狭まるテーパ面とし、蓋が楔となって受枠の開口部にある程度食い込むようにすることによって蓋の揺動を抑えるように構成したものがある。
【考案の概要】
【考案が解決しようとする課題】
【０００３】
しかし、設置した地下構造物用蓋装置が通行車両から想定を超えた踏圧を頻繁に受けるといったことも起こり得るのであり、そのような環境に起因して蓋が受枠に過剰に食い込むと、バール等の工具で開蓋する作業が困難化することとなる。
【０００４】
本考案は上述の事柄に留意してなされたもので、その目的は、蓋の揺動を抑えつつ、受枠に対する蓋の過剰な食い込みを防止することができる地下構造物用蓋装置を提供することにある。
【課題を解決するための手段】
【０００５】
上記目的を達成するために、本考案に係る地下構造物用蓋装置は、開口部を有する受枠と、前記開口部を塞ぐための蓋とを具備した地下構造物用蓋装置であって、前記開口部の内周及び前記蓋の外周には上部勾配面及び下部勾配面が各々設けられ、閉蓋状態において前記開口部及び前記蓋の上部勾配面どうし及び下部勾配面どうしが少なくとも部分的に面接触するように構成され、前記開口部と前記蓋の両方、またはそのいずれか一方において、下部勾配面よりも上部勾配面が平滑となるようにすることにより、前記開口部及び前記蓋の上部勾配面間の静止摩擦係数が、下部勾配面間の静止摩擦係数よりも小となるようにした（請求項１）。
【０００６】
また、前記地下構造物用蓋装置が、前記開口部と前記蓋の両方、またはそのいずれか一方において、上部勾配面が十点平均粗さで６．３μｍ以下となるようにし、かつ、下部勾配面が十点平均粗さで２５μｍ以上となるようにしてあってもよい（請求項２）。
【０００７】
さらに、前記地下構造物用蓋装置において、前記蓋の上部勾配面の勾配よりも前記開口部の上部勾配面の勾配を急にし、かつ、前記開口部の下部勾配面の勾配よりも前記蓋の下部勾配面の勾配を急にすることにより、前記開口部及び前記蓋の上部勾配面と下部勾配面との境界部分にクリアランスを設けるようにしてもよい（請求項３）。
【考案の効果】
【０００８】
請求項１〜３に係る考案では、蓋の揺動を抑えつつ、受枠に対する蓋の過剰な食い込みを防止することができる地下構造物用蓋装置が得られる。
【０００９】
すなわち、請求項１〜３に係る考案の地下構造物用蓋装置では、開口部と蓋の両方、またはそのいずれか一方において上部勾配面を平滑にすることで、受枠に対する蓋の過剰な食い込みが防止される上、開蓋の際に生じる摩擦が低減し、開蓋用の工具を用いた開蓋作業が容易となるだけでなく、下部勾配面を粗くすることで摩擦力を高め蓋の揺動を抑え、ひいては蓋のがたつき発生の抑制をも図ることができる。
【００１０】
請求項２に係る考案の地下構造物用蓋装置では、上記効果を確実に得ることができる。  
【００１１】
請求項３に係る考案の地下構造物用蓋装置では、受枠の開口部と蓋との間にクリアランスを設け、その上方及び下方の２か所で開口部が蓋を面接触により支持するようにしてあれば、蓋に加わる上方からの荷重は分散され、開口部に対する蓋の過剰な食い込みを効果的に抑制することができる。
【図面の簡単な説明】
【００１２】
【図１】（Ａ）は本考案の一実施の形態に係る地下構造物用蓋装置の構成を概略的に示す平面図、（Ｂ）は（Ａ）のＸ−Ｘ線切断端面図である。
【図２】前記地下構造物用蓋装置の要部の構成を概略的に示す説明図である。
【図３】前記地下構造物用蓋装置の蓋及び受枠の要部の構成を概略的に示す断面図である。
【図４】（Ａ）〜（Ｃ）は、本考案の変形例に係る蓋、受枠及び地下構造物用蓋装置の要部の構成を概略的に示す断面図である。
【考案を実施するための形態】
【００１３】
本考案の実施の形態について図面を参照しながら以下に説明する。
【００１４】
まず、本実施の形態に係る地下構造物用蓋装置（以下、「蓋装置」と略称する）は、図１（Ａ）及び（Ｂ）に示すように、受枠１を具備し、この受枠１の上部内側には人が出入りするための略円形状の開口部２が設けられている。また、受枠２の下部外側にはフランジ３が延設され、フランジ３には図外のアンカーボルトによって貫かれる貫通孔３ａが周方向に複数形成されている。
【００１５】
蓋装置はまた、図１（Ａ）及び（Ｂ）に示すように、開口部２を塞ぐための丸型の蓋４を具備し、蓋４は、図外の蝶番によって受枠１に対して開閉可能に連結されている。尚、蓋装置の開蓋は、蓋４の穴５（図１（Ａ）参照）に専用のバール等の開蓋用の工具を挿入することによって行われる。
【００１６】
そして、図３に示すように、開口部２の内周及び蓋４の外周には上部勾配面２Ａ、４Ａ及び下部勾配面２Ｂ、４Ｂが各々設けられ、閉蓋状態において開口部２及び蓋４の上部勾配面２Ａ、４Ａどうし及び下部勾配面２Ｂ、４Ｂどうしが少なくとも部分的に面接触するように構成されている（図２参照）。
【００１７】
具体的には、開口部２の内周上端の径ｄ２（図３参照）及び蓋４の外周上端の径ｄ４（図３参照）はともに６３４ｍｍ、開口部２の内周全体の高さｈ２（図３参照）は４０．５ｍｍ、蓋４の外周全体の高さｈ４（図３参照）は３９．５ｍｍである。また、開口部２の上部勾配面２Ａの高さｈ２Ａ（図３参照）及び蓋４の上部勾配面４Ａの高さｈ４Ａ（図３参照）はともに２２ｍｍである一方、開口部２の下部勾配面２Ｂの高さｈ２Ｂ（図３参照）は１８．５ｍｍ、蓋４の下部勾配面４Ｂの高さｈ４Ｂ（図３参照）は１７．５ｍｍである。さらに、開口部２の上部勾配面２Ａの勾配（鉛直方向からの傾き）θ２Ａ（図３参照）は９°３２′２″、下部勾配面２Ｂの勾配θ２Ｂ（図３参照）は６°３′１４″であり、蓋４の上部勾配面４Ａの勾配θ４Ａ（図３参照）は９°４７′１０″、下部勾配面４Ｂの勾配θ４Ｂ（図３参照）は５°４３′４８″である。
【００１８】
上記のように、蓋４の上部勾配面４Ａの勾配θ４Ａよりも開口部２の上部勾配面２Ａの勾配θ２Ａを急にし（鉛直に近づくようにし）、かつ、開口部２の下部勾配面２Ｂの勾配θ２Ｂよりも蓋４の下部勾配面４Ｂの勾配θ４Ｂを急にする（鉛直に近づくようにする）ことにより、図２に示すように、開口部２及び蓋４の上部勾配面２Ａ、４Ａと下部勾配面２Ｂ、４Ｂとの境界部分に（開口部２と蓋４の各々上端から２２ｍｍの深さの位置に）０．１ｍｍ〜０．２ｍｍ程度の幅ｗを持ったクリアランス６を設けるようにしている。但し、上部勾配面２Ａ、４Ａの勾配の差、下部勾配面２Ｂ、４Ｂの差はそれぞれ極微少であるため、上部勾配面２Ａ、４Ａの主に上側部分どうしが面接触し、また、下部勾配面２Ｂ、４Ｂの主に下側部分どうしが面接触することになる。
【００１９】
本実施形態では、開口部２と蓋４の両方において、下部勾配面２Ｂ、４Ｂよりも上部勾配面２Ａ、４Ａが平滑となるようにすることにより、開口部２及び蓋４の上部勾配面２Ａ、４Ａ間の静止摩擦係数が、下部勾配面２Ｂ、４Ｂ間の静止摩擦係数よりも小となるようにしている。具体的には、上部勾配面２Ａ、４Ａを十点平均粗さ（Ｒｚ）で６．３μｍ（６．３Ｚ）以下となるようにし（上仕上げ以上の平滑性を有するようにし）、かつ、下部勾配面２Ｂ、４Ｂが十点平均粗さ（Ｒｚ）で２５μｍ（２５Ｚ）以上となるように（並仕上げ以下の平滑性を有するように）した。
【００２０】
上記の構成からなる蓋装置では、受枠１の開口部２と蓋４との間にクリアランス６を設け（図２参照）、その上方及び下方の２か所で開口部２が蓋４を面接触により支持するようにしてあるので、蓋４に加わる上方からの荷重は分散され、開口部２に対する蓋４の過剰な食い込みを抑制することができる。
【００２１】
しかも、開口部２と蓋４の上部勾配面２Ａ、４Ａを平滑にすることによっても過剰な食い込みが防止される上、開蓋の際に生じる摩擦が低減し、開蓋用の工具を用いた開蓋作業が容易となるだけでなく、下部勾配面２Ｂ、４Ｂを粗くすることで摩擦力を高め蓋４の揺動を抑え、ひいては蓋４のがたつき発生の抑制をも図ることができる。
【００２２】
なお、本考案は、上記の実施の形態に何ら限定されず、本考案の要旨を逸脱しない範囲において種々に変形して実施し得ることは勿論である。例えば、以下のように変形することができる。
【００２３】
上記実施形態では、開口部２の上部勾配面２Ａと蓋４の上部勾配面４Ａの高さを同一としてあるが、異ならせてもよい。
【００２４】
上部勾配面２Ａ、４Ａ、下部勾配面２Ｂ、４Ｂの勾配は、開口部２に対する蓋４の適度な食い込みが得られる範囲（開蓋作業が困難とならず、かつ蓋４の揺動を抑えられる範囲）で任意に変更可能であり、例えば、上部勾配面２Ａ、４Ａの勾配は７〜２０°、下部勾配面２Ｂ、４Ｂの勾配は３〜１０°の範囲とすることが好ましい。但し、上部勾配面２Ａ、４Ａどうしが少なくとも部分的に面接触する範囲で、蓋４の上部勾配面４Ａの勾配θ４Ａよりも開口部２の上部勾配面２Ａの勾配θ２Ａを急にする（鉛直に近づくようにする）か同程度にし、かつ、下部勾配面２Ｂ、４Ｂどうしが少なくとも部分的に面接触する範囲で、開口部２の下部勾配面２Ｂの勾配θ２Ｂよりも蓋４の下部勾配面４Ｂの勾配θ４Ｂを急にする（鉛直に近づくようにする）か同程度にするのが好ましい。尚、下部勾配面２Ｂ、４Ｂの勾配は３°未満でもよい。
【００２５】
その一例として、図４（Ａ）〜（Ｃ）には、上部勾配面２Ａ、４Ａと下部勾配面２Ｂ、４Ｂの勾配を全て等しくした（８°にした）場合の構成を示してある。この例の蓋装置の径方向及び高さ方向の寸法については、ｈ２が４１ｍｍ、ｈ２Ｂが１９ｍｍである点以外は図２及び図３に示したものと同一である。
【００２６】
上記実施形態では、開口部２と蓋４の両方において、下部勾配面２Ｂ、４Ｂよりも上部勾配面２Ａ、４Ａが平滑となるようにしてあるが、これに限らず、開口部２及び蓋４の上部勾配面２Ａ、４Ａ間の静止摩擦係数が、下部勾配面２Ｂ、４Ｂ間の静止摩擦係数よりも小となる範囲であれば、開口部２と蓋４のいずれか一方において、下部勾配面よりも上部勾配面を平滑としつつ、他方において下部勾配面を上部勾配面と同程度の表面粗さとするか、上部勾配面よりも平滑とするようにしてもよい。具体的には、開口部２の上部勾配面２Ａを十点平均粗さ（Ｒｚ）で６．３μｍ（６．３Ｚ）以下となるようにし、開口部２の下部勾配面２Ｂと蓋４の外周全面を十点平均粗さ（Ｒｚ）で２５μｍ（２５Ｚ）以上となるようにすることができる。また、蓋４の上部勾配面４Ａを十点平均粗さ（Ｒｚ）で６．３μｍ（６．３Ｚ）以下となるようにし、蓋４の下部勾配面４Ｂと開口部２の内周全面を十点平均粗さ（Ｒｚ）で２５μｍ（２５Ｚ）以上となるようにすることもできる。
【００２７】
なお、上記変形例どうしを適宜組み合わせてもよいことはいうまでもない。
【符号の説明】
【００２８】
１    受枠
２    開口部
２Ａ  上部勾配面
２Ｂ  下部勾配面
３    フランジ
３ａ  貫通孔
４    蓋
４Ａ  上部勾配面
４Ｂ  下部勾配面
５    穴
６    クリアランス
ｄ２  開口部の上端の内径
ｄ４  蓋の上端の外径
ｈ２  開口部の内周全体の高さ
ｈ２Ａ  開口部の上部勾配面の高さ
ｈ２Ｂ  開口部の下部勾配面の高さ
ｈ４  蓋の外周全体の高さ
ｈ４Ａ  蓋の上部勾配面の高さ
ｈ４Ｂ  蓋の下部勾配面の高さ
θ２Ａ  開口部の上部勾配面の勾配
θ２Ｂ  開口部の下部勾配面の勾配
θ４Ａ  蓋の上部勾配面の勾配
θ４Ｂ  蓋の下部勾配面の勾配
【図１】
0003179066.tif 000003
【図２】
0003179066.tif 000004
【図３】
0003179066.tif 000005
【図４】
0003179066.tif 000006